(57)【要約】      （修正有）【課題】乳幼児の泣き声で、自動的に揺動機能を持ち駆動部とベビーベッド木部を分離可能で、運搬しやすい電動式ベビーベッドを提供する。【解決手段】ベビーベッド木部１と泣き声センサで自動的に揺動する揺動機構部２をベビーベッド取付けボルト１０で固定できるように構成しており、組立、分解を容易にできる構造とする。【選択図】図２
2014087457.tif 000002
【特許請求の範囲】
【請求項１】
ベビーベッド木部と揺動機構部を分離可能にした電動式ベビーベッド
【請求項２】
揺動する方向のベビーベッド木部のすのこ下部に通気口を設けた請求項１の電動式ベビーベッド
【請求項３】
容易に着脱可能な音センサを備えた請求項１の電動式ベビーベッド
【発明の詳細な説明】
【技術分野】
【０００１】
本発明は、揺動を制御する揺動機構部とベビーベッド木部が分離可能な電動式ベビーベッドに関するものである。
【背景技術】
【０００２】
電動による揺動機能を有するベビーベッドが特開２００９-１３１４６９号公報により考案されているが、ベビーベッド木部と揺動機構部の揺動動作の精度維持のため一体構造となっている。
【０００３】
図５は、上記提案の概略図であり、１０２は、敷き布団、１０３は、すのこであり、１０５は、収納体、１０４は床板であり、収納体１０５の内部にはモータ１０６、インバータ１０８、プログラブルコントローラ１０７等が収容されている。
【０００４】
収納体には、４つの車輪１０９がありそのうち２つは、ストッパー１１０付きでかつ自由に方向転換可能なキャスターとなっている。
【先行技術文献】
【特許文献】
【０００５】
【特許文献１】特開２００９-１３１４６９号公報
【発明の概要】
【発明が解決しようとする課題】
【０００６】
図５に説明したように従来技術では、ベビーベッド木部と揺動機構部が一体構造となって揺動動作の精度を維持するようになっており、輸送時にもこのままの形態で運搬する必要があり、輸送コストが大きいという問題があった。
【０００７】
また、図５におけるすのこ１４の下部の空気は、外部との流通が出来にくい構造となっており、湿気等が滞留しやすいという課題があった。
【課題を解決するための手段】
【０００８】
ベビーベッド木部は、揺動機構部との一体構造を廃止して一般に市販されているベビーベッドと同様にパネル単位で分解できる構造とする。これによりベビーベッド木部は分解して積み重ねて段ボール箱等に収納することで輸送しやすい形態にできる。
【０００９】
上記手段を実施することにより揺動動作の精度を維持できなくなる恐れがあるため揺動機構部に天板を設けて天板と揺動機構部を一体化することで、揺動動作の精度を維持し、ベビーベッド木部と独立して作動できるようにする。
【００１０】
さらにベビーベッド木部と天板一体の揺動機構部は、ネジ等により容易に着脱可能な方式とする。
【００１１】
ベビーベッド木部のすのこより下部位置に通風口を左右１ヵ所ずつ設け揺動時のベビーベッド木部のゆれにより通風口より外気が出入り可能とする。
【発明の効果】
【００１２】
ベビーベッド木部と揺動機構部をネジのみで容易に着脱でき、ベビーベッド木部は、パネル単位に分解して積重ね梱包することが可能となり、梱包サイズが大幅に小さくなり輸送コストが低減できる。また、揺動機構部は、ベビーベッド木部と比較して高さが小さく作れるため独立した梱包を行う事により製品全体の輸送コストが低減可能となった。
【００１３】
ベビーベッド木部のすのこ下部に設けた通風口により揺動時に左右の通風口の間を外気が流通してすのこ下部の換気が出来るため、すのこや布団のかび等の発生を防止できる。
【図面の簡単な説明】
【００１４】
【図１】本発明を適用した実施例の全体図。
【図２】本発明を適用したベビーベッド木部と揺動機構部を分解した斜視図
【図３】本発明を適用した揺動機構部内部の斜視図。
【図４】本発明を適用した通風口実施例の断面図。
【図５】従来の事例を示す概略図。
【発明を実施するための形態】
【００１５】
以下の図面を参考しながら説明し、本発明の理解に供する。
【実施例】
【００１６】
図１は、本案の全体（本体）であり、  １はベビーベッド木部で複数のネジ４により前後左右４面からなるパネルをカゴ形に組立て固定されている。２は、揺動機構部  ３は、揺動機構部２に対して揺動可能に取付られた天板である。  ５は、本体を支える４つの車輪であり、車輪のうちの２つは、回転自在かつストッパー６付きのキャスターとなっている。ベビーベッド木部１は、天板３に設けられたガイド枠１２の外側にゆるやかに勘合設置されて水平方向の移動が規制されている。さらにベビーベッド取付ネジ１０によりガイド枠１２に取付固定されることにより、上下方向に対しても揺動機構部２に対して一体化されている。
【００１７】
本体を移動させる場合は、ストッパー６を非固定位置にすることでキャスター（５および６）が３６０°自在に動く状態となる。また電動式ベビーベッドとして作動させる場合には、ストッパー６を固定位置にすることによりキャスター（５および６）の首振り回転および車輪の回転が共に規制されて揺動機構部２が床面に対して動かないように固定される。
【００１８】
９は,AC 電源接続用のプラグ付き電源コードであり、７は、本体を揺動操作させるためのコード付リモコンである。また８は、音センサーを収納したケースであり、マイク等からなる音センサーで赤ちゃんの泣声を検出するためのものである。音センサーは、ベビーベッド木部１に設置するのが、望ましいが、音センサーで検知した入力信号は揺動機構部２に内蔵される制御回路に伝達されるように構成されている。またベビーベッド木部１と揺動機構部２は使用者が容易に接続設置できるようにするため音センサーを収納したケースは、マグネット等により容易に着脱できる構造になっており、接続ケーブル（８’）によって揺動機構部２に入力信号が伝達される。
【００１９】
図３に示すように揺動機構部２は、モータ１６による回転運動をクランク機構で往復運動に変換し、ガイドレール１７を備えることで往復運動の精度を維持している。天板３は、図４において左右方向に約１０cmの幅で揺動するように設置されている。
【００２０】
図２は、ベビーベッド木部１と揺動機構部２とを分離した状態を示している。ベビーベッド木部１は、各方向から装着されているネジ４を取外すことによりすのこ１３およびパネル４枚に分解することが出来る。
【００２１】
本体の輸送を行う際には、ベビーベッド木部１は、４枚の板状に分解されて積重ねて段ボール箱等にコンパクトに収納する事ができる。また揺動機構部２（天板３を含む）は、薄形構造であるため、このままの状態でコンパクトに段ボール箱等に収納する事ができる。このように全体組立状態で精度を要する運動体を構成するにもかかわらず２つのコンパクトな梱包状態にまとめる事ができる構成としているため輸送費用の軽減効果が大きい。
【００２２】
さらに図２および図４で示しているようにベビーベッド木部１の下部に切欠き状態となっているため、図４に矢印で示したような左右に連続した通気経路が構成されている。この通気口１４の位置は揺動方向と同一方向であるためベビーベッド木部１の揺動によりファンなどの強制換気手段を設ける事なく、効率よく換気を行う事ができる
【符号の説明】
【００２３】
１  ベビーベッド木部
２  揺動機構部
３  天板
４  ネジ
５  車輪
６  ストッパー
７  リモコン
８  音センサケース
８’  接続ケーブル
９  電源コード
１０  ベビーベッド取付けネジ
１１  すのこ受けピン
１２  ガイド枠
１３  すのこ
１４  通気口
１５  ガイド枠の切欠き
１６  モータ
１７  ガイドレール
１０１  ベビーベッド
１０２  敷き布団
１０３  すのこ
１０４  床板
１０５  収納体
１０６  モータ
１０７  プログラブルコントローラ
１０８  インバータ
１０９  車輪
１１０  ストッパー
【図１】
2014087457.tif 000003
【図２】
2014087457.tif 000004
【図３】
2014087457.tif 000005
【図４】
2014087457.tif 000006
【図５】
2014087457.tif 000007